(57)【要約】【課題】絞り値の変化に応じて合焦する範囲が変わることをユーザーが直感的に把握することができるようにする技術を提供すること。【解決手段】表示制御装置は、撮像手段で撮像されている画像の合焦度合いに関する情報を取得する取得手段と、取得手段で取得した情報に基づいて、第１の指標と第２の指標との距離が合焦度合いに対応するように、第１の指標と第２の指標とを含む表示アイテムを表示するように制御する表示制御手段と、撮像手段での露光量を調整するための絞りの設定に基づいて、第１の指標と第２の指標の距離方向についての、第１の指標または第２の指標の表示幅を変更するように制御する制御手段とを有する。【選択図】図５
2018155904.tif 000002
【特許請求の範囲】
【請求項１】
撮像手段で撮像されている画像の合焦度合いに関する情報を取得する取得手段と、
前記取得手段で取得した情報に基づいて、第１の指標と第２の指標との距離が合焦度合いに対応するように、前記第１の指標と前記第２の指標とを含む表示アイテムを表示するように制御する表示制御手段と、
前記撮像手段での露光量を調整するための絞りの設定に基づいて、前記第１の指標と前記第２の指標の距離方向についての、前記第１の指標または前記第２の指標の表示幅を変更するように制御する制御手段と
を有する表示制御装置。
【請求項２】
前記制御手段は、前記絞りが開放側の設定である場合に比べて、前記絞りが絞られた側の設定である場合の方が、前記表示幅が広くなるように制御することを特徴とする請求項１に記載の表示制御装置。
【請求項３】
前記表示制御手段は、合焦している場合には前記第１の指標と前記第２の指標が前記距離方向と垂直な方向で重なる位置に表示する、あるいは一体化して表示するように制御することを特徴とする請求項１または２に記載の表示制御装置。
【請求項４】
前記合焦度合いに関する情報はデフォーカス量を含むことを特徴とする請求項１乃至３のいずれか１項に記載の表示制御装置。
【請求項５】
前記表示アイテムは更に第３の指標を含み、
前記制御手段は絞りの設定に基づいて、前記第１の指標の表示幅を変更することなく前記第２の指標及び前記第３の指標の表示幅を変更するように制御し、
前記第１の指標は合焦度合いが変わっても表示位置は変わらず、前記第２の指標及び前記第３の指標は合焦度合いに応じて表示位置が変更され、合焦度合いが低いほど前記第２の指標と前記第３の指標の距離が離れて表示され、合焦している場合には前記第２の指標と前記第３の指標が重なって表示されることを特徴とする請求項１乃至４のいずれか１項に記載の表示制御装置。
【請求項６】
前記表示制御手段は、前記撮像手段での撮影に関するフォーカスモードがマニュアルフォーカスモードである場合に前記表示アイテムを表示し、オートフォーカスモードである場合には前記表示アイテムを表示しないように制御することを特徴とする請求項１乃至５の何れか１項に記載の表示制御装置。
【請求項７】
前記絞りを調整する調整手段と、
ユーザーから前記絞りの絞り量の設定操作を受け付ける受付手段とを更に有し、
前記調整手段は、前記撮像手段で撮像したライブビュー画像を表示している際に、前記受付手段で設定操作を受け付けたタイミングでは設定された絞り量に前記絞りを調整せず、設定された絞り量の反映指示があると設定された絞り量で前記絞りを調整し、
前記表示制御手段は、前記反映指示によって絞り量が調整されると、調整された絞り量に応じて前記第１の指標または前記第２の指標の表示幅を変更するように制御することを特徴とする請求項１乃至６のいずれか１項に記載の表示制御装置。
【請求項８】
前記絞り量の反映指示は、絞り込みボタンの操作またはシャッターボタンの半押しであることを特徴とする請求項７に記載の表示制御装置。
【請求項９】
前記表示制御手段は、シャッターボタンの半押し操作に応じて前記第１の指標または前記第２の指標の表示幅を最小幅に変更するとともに、合焦している場合には最小幅で表示
された前記第１の指標と前記第２の指標を前記距離方向と垂直な方向で重なる位置に表示する、あるいは一体化して表示するように制御することを特徴とする請求項１乃至８のいずれか１項に記載の表示制御装置。
【請求項１０】
前記取得手段はさらに、撮像面と被写体までの距離である被写体距離に関する情報を取得可能であり、
前記制御手段はさらに、前記第１の指標または前記第２の指標の前記距離方向の表示幅を、前記被写体距離に関する情報に応じて、被写体距離が短い場合に比べて長い場合の方が広い幅となるように変更することを特徴とする請求項１乃至９のいずれか１項に記載の表示制御装置。
【請求項１１】
前記表示制御装置は前記撮像手段を有する撮像装置であることを特徴とする請求項１乃至１０のいずれか１項に記載の表示制御装置。
【請求項１２】
撮像手段で撮像されている画像の合焦度合いに関する情報を取得するステップと、
前記合焦度合いに関する情報に基づいて、第１の指標と第２の指標との距離が合焦度合いに対応するように、前記第１の指標と前記第２の指標とを含む表示アイテムを表示するように制御するステップと、
前記撮像手段での露光量を調整するための絞りの設定に基づいて、前記第１の指標と前記第２の指標の距離方向についての、前記第１の指標または前記第２の指標の表示幅を変更するように制御するステップと
を有する表示制御装置の制御方法。
【請求項１３】
コンピュータを、請求項１乃至１１のいずれか１項に記載された表示制御装置の各手段として機能させるためのプログラム。
【請求項１４】
コンピュータを、請求項１乃至１１のいずれか１項に記載された表示制御装置の各手段として機能させるためのプログラムを格納したコンピュータが読み取り可能な記憶媒体。
【発明の詳細な説明】
【技術分野】
【０００１】
本発明は、表示制御装置及びその制御方法に関し、特に、フォーカスに関する情報の表示技術に関する。
【背景技術】
【０００２】
測距センサーや複数の撮像センサーによって被写体のフォーカス評価値を算出し、この評価値に基づいて、撮像されている被写体毎に前ピン状態、後ピン状態を表示する表示装置が提案されている。
【０００３】
例えば、特許文献１には、ピント状態検出手段によって検出されたピント状態に基づいて、撮影レンズのピントが前ピン、後ピン又は合焦のいずれのピント状態かを把握可能にピント情報を表示することが提案されている。
【０００４】
特許文献２には、マニュアルでフォーカスを合わせる際に合焦位置からのフォーカス位置のずれに応じてオフセットさせたマーカーを回転対称の位置関係に配置して表示することが提案されている。
【先行技術文献】
【特許文献】
【０００５】
【特許文献１】特開２００２−３６５７１０号公報
【特許文献２】特開２００７−２７９３３４号公報
【発明の概要】
【発明が解決しようとする課題】
【０００６】
しかし、合焦の度合いは、被写界深度によっても変わる。例えば、被写界深度が深ければ（広ければ）合焦する範囲が広く、合焦しやすい。逆に被写界深度が浅ければ合焦する範囲が狭く、合焦し難い。被写界深度は、露光量を調整するための絞りの絞り量によって異なり、絞りが開放側であるほど被写界深度は浅くなり、ボケる範囲が広くなるため、ピントを合わせたい被写体のピント合わせはよりシビアになる。逆に、絞りがより絞った状態である場合には被写界深度は深くなり、多くの被写体に合焦するため、ピント合わせはさほど厳密さを求められない。
従来技術では、このような絞り量に基づく合焦度合いの違いについては考慮されていなかったため、ユーザーは、絞り値を変更した場合に合焦する範囲がどのように変化したかを把握しにくいという問題がある。
そこで本発明では、絞り値の変化に応じて合焦する範囲が変わることをユーザーが直感的に把握することができるようにする技術を提供すること目的とする。
【課題を解決するための手段】
【０００７】
本発明の第一態様は、撮像手段で撮像されている画像の合焦度合いに関する情報を取得する取得手段と、前記取得手段で取得した情報に基づいて、第１の指標と第２の指標との距離が合焦度合いに対応するように、前記第１の指標と前記第２の指標とを含む表示アイテムを表示するように制御する表示制御手段と、前記撮像手段での露光量を調整するための絞りの設定に基づいて、前記第１の指標と前記第２の指標の距離方向についての、前記第１の指標または前記第２の指標の表示幅を変更するように制御する制御手段とを有する表示制御装置を提供する。
【０００８】
本発明の第二態様は、撮像手段で撮像されている画像の合焦度合いに関する情報を取得
するステップと、前記取得手段で取得した情報に基づいて、第１の指標と第２の指標との距離が合焦度合いに対応するように、前記第１の指標と前記第２の指標とを含む表示アイテムを表示するように制御するステップと、前記撮像手段での露光量を調整するための絞りの設定に基づいて、前記第１の指標と前記第２の指標の距離方向についての、前記第１の指標または前記第２の指標の表示幅を変更するように制御するステップとを有する表示制御装置の制御方法を提供する。
【０００９】
本発明の第三態様は、コンピュータを、本発明の第一態様に記載された表示制御装置の各手段として機能させるためのプログラムを提供する。
【００１０】
本発明の第四態様は、コンピュータを、本発明の第一態様に記載された表示制御装置の各手段として機能させるためのプログラムを格納したコンピュータが読み取り可能な記憶媒体を提供する。
【発明の効果】
【００１１】
本発明によれば、絞り値の変化に応じて合焦する範囲が変わることをユーザーが直感的に把握することができる。
【図面の簡単な説明】
【００１２】
【図１】デジタルカメラのハードウェア構成の一例を示すブロック図である。
【図２】画像センサーとしての撮像素子の受光面の一部を示している。
【図３】フォーカスガイド機能の表示に関するフローチャートの一例である。
【図４】フォーカスガイドの表示例である。
【図５】絞り値の変化に対するフォーカスガイド図形の形状の変化を表す図である。
【図６】フォーカスガイド機能の表示例を示した図である。
【発明を実施するための形態】
【００１３】
以下、本発明の好ましい実施例について、図面を参照しながら詳細に説明する。各図において、同一の構成については原則として同一の参照番号をふり、重複する説明は省略する。また、説明を具体化するために例示する数値等は、特に言及しない限りは、これに限定するものではない。
また、本発明は以下の実施例に限定されるものではなく、その要旨を逸脱しない範囲において適宜変更可能である。例えば、本発明が適用される装置の構成や各種条件によって下記実施例の各構成が適宜修正又は変更されてもよい。
【００１４】
＜実施例１＞
以下、添付図面を参照して、本発明の例示的な実施例について詳細に説明する。
（デジタルカメラのハードウェア構成）
図１は、デジタルカメラ１０のハードウェア構成の一例を示すブロック図である。表示制御装置の例として本実施例では、デジタルカメラ１０（撮像装置）に関して説明する。筺体１００は、デジタルカメラ１０の構成要素の多くを内包する外装である。各種の操作部、表示部１０７（表示手段）及び外部出力部１２１は、筺体１００外部に露出している。
交換レンズ１０１は、複数のレンズ群からなる撮影レンズであり、フォーカスレンズ、ズームレンズ、シフトレンズを内部に備えるほか、絞りを含む。
撮像素子１０２は、光電変換素子を有する画素が複数、二次元状に配列された構成を有する。撮像素子１０２は、交換レンズ１０１により結像された被写体光学像を各画素で光電変換し、さらにＡ／Ｄ変換回路によってアナログ・デジタル変換して、画素単位の画像信号（ＲＡＷ画像データ）を出力する。本実施例に用いる撮像素子１０２と、関連する測距部１０８の詳細は、図２とともに後述する。
【００１５】
ＮＤ（Ｎｅｕｔｒａｌ  Ｄｅｎｓｉｔｙ）フィルタ１０３はレンズに備えられた絞りとは別に入射光量を調整するためにデジタルカメラ１０に設けられる。
画像処理部１１８は、撮像素子１０２に起因する画素のレベル差を補正する。例えば、ＯＢ領域（ｏｐｔｉｃａｌ ｂｌａｃｋ領域）の画素を用いて、有効領域の画素のレベル
を補正するほか、欠陥画素に対して周囲画素を用いた補正を行う。また、周辺光量落ちに対する補正、色補正、輪郭強調、ノイズ除去、ガンマ補正、ディベイヤー、圧縮などの各処理を行う。画像処理部１１８は、撮像素子１０２から入力されたＲＡＷ画像データに対して上記処理を行うと、その他の制御部へ補正した画像データを出力する。
記録媒体Ｉ／Ｆ部１０４は、記録媒体１０５とデジタルカメラ１０とのインターフェースであり、記録媒体１０５に対して、画像処理部１１８から入力された画像データの記録や記録した画像データの読み出しを制御する。
記録媒体１０５は、撮影された映像あるいは画像データを記録するための半導体メモリ等で構成される記録媒体であり、記録媒体Ｉ／Ｆ部１０４による制御に応じて画像データの記録や記録された画像データの読み出しを実行する。記録媒体１０５は、着脱可能なメモリーカード等である。なお、内蔵の記録媒体でもよい。
【００１６】
ＧＰＵ１１５は、ビデオカメラの各種情報表示やメニュー画面をＶＲＡＭに描画するレンダリングエンジンである。ＧＰＵ１１５により、文字列や図形の描画機能のほか、拡大縮小描画機能や、回転描画機能、レイヤ合成機能の処理が行われる。ＶＲＡＭは透過度を表すアルファチャネルを備えており、ＶＲＡＭに描画された表示物を表示用Ｉ／Ｆ部１０６によって撮像画像や再生画像上にオンスクリーン表示することができる。
表示用Ｉ／Ｆ部１０６は、画像処理部１１８からの映像データ（撮影画像、再生画像）およびＧＰＵ１１５でＶＲＡＭに描画した表示物に対して、重畳合成およびリサイズ処理を行い、表示部１０７へ出力する。拡大表示モードになっているときは、表示用Ｉ／Ｆ部１０６は映像データの部分領域に対して重畳合成およびリサイズ処理を行う。その結果、拡大表示モードでは、通常時よりも拡大された映像が表示部１０７に表示されるため、撮影者がマニュアルフォーカス（以下、ＭＦ）での焦点調整操作をより正確に行いやすくなる。
表示部１０７は、表示用Ｉ／Ｆ部１０６から出力された画像データを画角確認用に表示する筺体１００の側から視認可能な外部モニタや、ファインダ内の表示部である。表示部１０７は、液晶ディスプレイや有機ＥＬディスプレイ（Ｏｒｇａｎｉｃ Ｌｉｇｈｔ−Ｅ
ｍｉｔｔｉｎｇ Ｄｉｏｄｅ Ｄｉｓｐｌａｙ）などで構成可能である。
【００１７】
本体マイコン１１９は、デジタルカメラ１０の全体の動作を制御する制御部であり、マイクロコンピュータなどで構成される。本体マイコン１１９は、ＣＰＵ１１９ａ、ＲＯＭ１１９ｂ、ＲＡＭ１１９ｃを備える。ＣＰＵ１１９ａは、ＲＯＭ１１９ｂに記憶されたプログラムを、ＲＡＭ１１９ｃに展開して実行することにより、後述の図３のフローチャートの動作を実行する。
【００１８】
以下に説明するゲイン制御部１０９、シャッター制御部１１０、ＮＤ制御部１１１および絞り制御部１１２は、いずれも露出制御のためのブロックである。これらは、それぞれ画像処理部１１８の出力した画像データの輝度レベルを本体マイコン１１９で算出した結果に基づいて、あるいは撮影者がマニュアル設定した動作パラメータに基づいて、本体マイコン１１９によって制御される。
ゲイン制御部１０９は、撮像素子１０２のゲインを制御する。
シャッター制御部１１０は、撮像素子１０２のシャッタースピードを制御する。
ＮＤ制御部１１１は、ＮＤフィルタ１０３を介して撮像素子１０２に入射する光量を制御する。絞り制御部１１２は、交換レンズ１０１の絞りを制御する。
フォーカス制御部１１３は、本体マイコン１１９で保持されるフォーカス駆動状態がＡ
Ｆ（オートフォーカス）かＭＦ（マニュアルフォーカス）かによって異なる動作を行う。ＡＦのときは、本体マイコン１１９は、画像処理部１１８から出力された画像データを参照してピントのずれ度合い等のフォーカス情報を算出し、フォーカス情報を基にフォーカス制御部１１３が交換レンズ１０１内部のフォーカスレンズを制御する。あるいは、撮像面位相差検出によって測距部１０８から出力されたデフォーカス量を基に、フォーカス制御部１１３が交換レンズ１０１内部のフォーカスレンズを制御してもよい。
【００１９】
フォーカス制御部１１３は、画像データの部分領域にＡＦ枠を設定し、ＡＦ枠内の被写体のみに基づいてフォーカス情報を算出することもできる。ＡＦは、本体マイコン１１９の振る舞いによって、さらに２つの動作モードを備えている。一つはワンショットＡＦモードであり、ワンショットＡＦキー１２９が押下されたときだけＡＦ制御を行い、合焦成功または合焦失敗が確定した後はフォーカス制御部１１３の制御を停止するモードである。もう一つはコンティニュアスＡＦモード（サーボＡＦ）であり、常にＡＦ制御を行うモードである。ただし、コンティニュアスＡＦモードであっても、ＡＦロックキー１３０の押下によってＡＦロック状態になっているときは、フォーカス制御部１１３の制御が停止される。２つのモードの切り替えはメニュー画面内の設定変更によって行う。
【００２０】
ＭＦのときは、フォーカス制御部１１３はＡＦ制御を停止する。この場合、撮影者が交換レンズ１０１に組み込まれたフォーカスリング１３４を回転させることによって、任意のフォーカス調整を行うことができる。
防振制御部１１４は、画像処理部１１８から出力された画像データを参照して本体マイコン１１９で被写体の動きベクトルを算出し、算出した動きベクトルをもとに手ブレを相殺するように交換レンズ１０１内部のシフトレンズを制御する光学式防振処理を行う。あるいは、防振制御部１１４は手ブレによる像ブレを相殺する方向に動画の各フレームで画像を切り出す電子式防振処理を行う。
メモリＩ／Ｆ部１１６は、撮像素子１０２から出力された全画素分のＲＡＷ画像データをメモリ１１７に書き込み、また、メモリ１１７に保持されたＲＡＷ画像データを読み出して画像処理部１１８に出力する。
メモリ１１７は、数フレームの全画素分のＲＡＷ画像データを格納する揮発性の記憶媒体である。
【００２１】
画像処理部１１８は、メモリＩ／Ｆ部１１６から送られた全画素分のＲＡＷ画像データに対し、必要な画像処理を行う。
外部出力用Ｉ／Ｆ部１２０は、画像処理部１１８からの映像データにリサイズ処理を行う。また、外部出力部１２１の規格に適した信号変換および制御信号の付与を行い、外部出力部１２１へ出力する。
外部出力部１２１は、映像データを外部出力する端子であり、例えばＳＤＩ（Ｓｅｒｉａｌ Ｄｉｇｉｔａｌ Ｉｎｔｅｒｆａｃｅ）端子やＨＤＭＩ（登録商標）（Ｈｉｇｈ−Ｄｅｆｉｎｉｔｉｏｎ Ｍｕｌｔｉｍｅｄｉａ Ｉｎｔｅｒｆａｃｅ）端子である。外部機器であるモニターディスプレイや、外部記録装置が接続可能である。
外部操作用Ｉ／Ｆ部１２２は、外部操作部１２３による制御指示を受信し、本体マイコン１１９へ通知するインターフェースである。例えば、赤外線リモコン受光部や、無線ＬＡＮ（Ｌｏｃａｌ Ａｒｅａ Ｎｅｔｗｏｒｋ）インターフェースや、ＬＡＮＣ（登録商標）（Ｌｏｃａｌ Ａｐｐｌｉｃａｔｉｏｎ Ｃｏｎｔｒｏｌ ｂｕｓ ｓｙｓｔｅｍ）が外部操作用Ｉ／Ｆ部１２２に相当する。
【００２２】
外部操作部１２３は、外部操作用Ｉ／Ｆ部１２２に対して制御指示（制御コマンド）を送信する。外部操作部１２３は、筺体１００や交換レンズ１０１に組み込まれた操作部１２４〜１３５の各部の操作に相当する指示（コマンド）を送信することができる他、表示部１０７で表示するメニュー画面における設定変更情報を送信することができる。メニュ
ーキー１２４及びＡＦ／ＭＦスイッチ１３５は操作部であり、キー（ボタン）やダイヤル、タクトスイッチ、リング、タッチパネル等の部材からなる。いずれも撮影者の操作を受けつけ、本体マイコン１１９に対して制御指示を通知する役割を担っている。メニューキー１２４乃至ＳＴＡＲＴ／ＳＴＯＰキー１３３は、筺体１００に組みつけられている本体側の操作部である。フォーカスリング１３４及びＡＦ／ＭＦスイッチ１３５は、交換レンズ１０１に組みつけられているレンズ側の操作部である。これらの操作部の一部は、メニュー画面内の設定によって、キーの役割を交換したり、別の機能にアサインしたりすることも可能である。
【００２３】
メニューキー１２４は、表示部１０７にメニュー画面を表示する指示、あるいはすでに開いているメニュー画面を閉じる指示を行う。
十字キー１２５及びダイヤル１２６は、どちらもメニュー画面内で項目を選択するためのカーソルを移動したり、フォーカスに関する枠表示を撮影者の望む方向へ移動したりする指示を行う。十字キー１２５は、上キー、下キー、左キー、右キーよりなる方向キーであり、それぞれ別体の操作部材であってもいいし、同一の操作部材として構成して押下する位置に応じて上下左右の何れか指示が行えるように構成しても良い。ダイヤル１２６は、時計回りの操作と反時計回りの操作が行える回転操作部材である。例えば、ダイヤル１２６が時計回りに操作された場合に絞り値等の設定値が増加され、ダイヤル１２６が反時計回りに操作された場合に設定値が減少される。
ＳＥＴキー１２７は、メニュー画面内でカーソルの当たっている項目を選択したり、各種の設定操作を確定したりする指示を行う。
キャンセルキー１２８は、メニュー画面で深い階層の選択を行っているときにひとつ前の階層へ戻ったり、各種の設定操作を破棄したりする。
なお、十字キー１２５、ダイヤル１２６、ＳＥＴキー１２７等により露光量を調整するための絞りを設定することができ、これらは受付手段として機能する。
【００２４】
ＡＦロックキー１３０は、ＡＦモードがコンティニュアスＡＦである時に、フォーカス制御部１１３に対してＡＦ駆動の停止、もしくは再開するよう指示を行う。
ワンショットＡＦキー１２９は、ＡＦモードがワンショットＡＦであるときに、フォーカス制御部１１３によってＡＦを駆動する指示を行う。
拡大キー１３１は、表示部１０７に表示される映像を拡大したり元に戻したりする指示を行う。
ＤＩＳＰＬＡＹキー１３２は、本体マイコン１１９で保持されるＤｉｓｐレベルを変更する指示を行う。選択されたＤｉｓｐレベルに基づいて、表示部１０７に表示される各種情報表示が制限され、より詳細な情報を表示したり、映像をよりクリアに表示したりすることができる。
ＳＴＡＲＴ／ＳＴＯＰキー１３３は、記録媒体Ｉ／Ｆ部１０４による記録の開始と停止の指示を行う。
【００２５】
フォーカスリング１３４は、フォーカス駆動状態がＭＦであるときに、交換レンズ１０１内のフォーカスレンズを移動し、フォーカス調整を行うことができる。
ＡＦ／ＭＦスイッチ１３５は、フォーカス駆動状態、すなわちＡＦとＭＦを相互に切り替える指示を行う。
【００２６】
（撮像面位相差検出）
図２Ａ及び図２Ｂは、画像センサーとしての撮像素子１０２の受光面の一部を示している。撮像素子１０２は、撮像面位相差ＡＦを可能にするために、一つのマイクロレンズに対して光電変換手段としてのフォトダイオードを２つ保持している画素部をアレイ状に並べた構成となっている。これにより、各画素部で、交換レンズ１０１の射出瞳を分割した光束を受光することが可能になっている。
図２Ａは、参考として、赤（Ｒ）、青（Ｂ）、緑（Ｇｂ、Ｇｒ）のベイヤー配列の画像センサー表面の一部の模式図である。図２Ｂは、図２Ａのカラーフィルターの配列に対応させて、一つのマイクロレンズに対して光電変換手段としてのフォトダイオードを２つ保持している画素部例である。
こうした構成を有する画像センサーは、各画素部から位相差検出用の２つの信号（以下、Ａ像信号、Ｂ像信号ともいう。）を出力できるようになっている。また、２つのフォトダイオードの信号を加算した撮像の記録用の信号（Ａ像信号＋Ｂ像信号）も出力できるようになっている。この加算した信号の場合には、図２Ａで概略説明したベイヤー配列の画像センサーの出力と同等の信号が出力される。
このような画像センサーとしての撮像素子１０２からの出力信号を使って、測距部１０８が２つの像信号の相関演算を行い、デフォーカス量や各種信頼性などの情報を算出する。測距部１０８がＡ像信号、Ｂ像信号のズレに基づき、像面でのデフォーカス量を算出する。
デフォーカス量は正負の値を持っており、デフォーカス量が正の値であるか負の値であるかによって、前ピンか後ピンかが判定される。
【００２７】
また、測距部１０８は、合焦情報（合焦度合いに関する情報）をＣＰＵ１１９ａに出力する。ここで、合焦情報は、デフォーカス量に基づいて算出された合焦・前ピン・後ピンのいずれの状態にあるかという情報と、デフォーカス量の絶対値に基づいて算出される合焦の度合い（ピントのズレの度合い）である合焦度合い情報とを含む。また、合焦情報は、測距成否の情報を含んでもよい。合焦度合い情報は、デフォーカス量の絶対値に基づいて生成される。デフォーカス量が大きいほど合焦度合いが低く、デフォーカス量が０であれば合焦した状態である。合焦度合い情報は、デフォーカス量そのものであってもよい。
また、フォーカスリング１３４がユーザーによって操作された場合は、測距部１０８は、フォーカスリング１３４が操作された後に取得したデフォーカス量に基づいて合焦情報を生成し、ＣＰＵ１１９ａに出力してもよい。
【００２８】
なお、本実施例は撮像用の信号及び位相差検出用の２つの信号の２つの計３つの信号を撮像素子１０２から出力している。この点、このような方法に限定されない。例えば、撮像用の信号と位相差検出用の２つの信号のうちの１つの計２つ信号を出力するようにしてもよい。この場合、出力後に位相差検出用の２つの信号のうちの他の１つの信号は、撮像素子１０２からの２つの出力信号を利用して算出される。
また、図２Ｂでは、一つのマイクロレンズに対して光電変換手段としてのフォトダイオードを２つ保持している画素部をアレイ状に並べている例を示した。この点、一つのマイクロレンズに対して光電変換手段としてのフォトダイオードを３つ以上保持している画素部をアレイ状に並べているようにしてもよい。また、マイクロレンズに対して受光部の開口位置が異なる画素部を複数有するようにしてもよい。つまり、結果としてＡ像信号とＢ像信号といった位相差検出可能な位相差検出用の２つの信号が得られるようになっていれば足りる。
【００２９】
（ＣＰＵの表示制御処理）
ＣＰＵ１１９ａは、測距部１０８から取得した合焦情報を基に、前ピンか後ピンかの情報を、デフォーカス量の絶対値が所定値を超える場合に表示部１０７に出力する。一方、ＣＰＵ１１９ａは、デフォーカス量の絶対値が所定値以内である場合には、合焦であるという情報を表示部１０７に出力する。
具体的には、ＣＰＵ１１９ａは、表示部１０７に表示されたライブビュー画像に、合焦情報に基づいて合焦の度合いや合焦範囲を示すアイテム（後述するフォーカスガイド）を重畳させて表示させる表示制御手段及び制御手段としての処理を行う。
また、表示制御手段としてＣＰＵ１１９ａは、合焦度合いに対応するようにアイテムを変化させて表示部１０７に表示させる。一方、制御手段としてＣＰＵ１１９ａは、露光量
を調整するための絞り（Ｆ値）の設定に基づいてアイテムを変化させて表示部１０７に表示させる。後述する図３のフローチャートでは、ＣＰＵ１１９ａが行う処理の具体例に関して説明する。
【００３０】
図３は、動画撮影時におけるフォーカスガイド機能の表示に関するフローチャートの一例である。フォーカスガイドは、表示部１０７に表示されるライブビュー画像に重畳させて表示される被写体に対する合焦度合いを示す表示アイテムである。
ステップＳ３０１では、ＣＰＵ１１９ａは、フォーカスモードがＭＦモード（マニュアルフォーカスモード）であるか否かを判定する。ＣＰＵ１１９ａは、ＡＦ／ＭＦスイッチ１３７がＭＦとなっていればＭＦモードであると判定してステップＳ３０２に進み、ＡＦとなっていればＡＦモード（オートフォーカスモード）処理を行う。なお、ＡＦモード処理の説明は省略する。
ステップＳ３０２では、ＣＰＵ１１９ａは、焦点検出領域に対応する被写体について、合焦情報（合焦度合いに関する情報）を測距部１０８から取得する。
ステップＳ３０３では、ＣＰＵ１１９ａは、ステップＳ３０２で得られた情報をもとに、フォーカスガイドの枠表示位置、指標角度および表示色を決定し、ライブビュー画像に重畳してフォーカスガイドを表示する。ここで、指標角度は、フォーカスガイドの形状を合焦度合いに応じて変化させる場合に用いられる情報である。指標角度は、合焦・前ピン・後ピンのいずれの状態にあるかという情報と、前ピンまたは後ピンの場合の、合焦度合い情報とに基づいて決定される。表示色は、合焦・前ピン・後ピンのいずれの状態にあるかという情報と、測距成否の情報に基づいて決定する。また、枠表示位置は、フォーカスガイドを表示させる位置の座標であり、枠表示位置は、例えば、人物などが表示されている焦点検出領域内又はその近傍に設定される。なお、フォーカスガイドの表示例については図４Ａ〜図４Ｃを用いて後述する。
なお、ステップＳ３０１でＡＦ／ＭＦスイッチ１３７がＡＦとなっていた場合、ＣＰＵ１１９ａは、フォーカスガイドを表示させないようにしてもよい。
【００３１】
ステップＳ３０４では、ＣＰＵ１１９ａは、絞りの変更操作が行われたか否かを判定する。絞りの変更操作は、十字キー１２５に含まれる左右キーの操作、あるいはダイヤル１２６の回転によって行えるものとする。ＣＰＵ１１９ａは、絞りの変更操作があった場合はステップＳ３０５に進み、そうでない場合はステップＳ３０７に進む。ステップＳ３０５では、ＣＰＵ１１９ａは、絞りの変更操作に応じて絞り値の設定を変更し、絞り制御部１１２を制御して交換レンズに含まれる絞り機構を駆動し、設定された絞り値の絞り量とする。
ステップＳ３０６では、ＣＰＵ１１９ａは、設定された絞り値に従ってフォーカスガイドの形状を変化させる。この処理の詳細は図６を用いて後述する。
【００３２】
ステップＳ３０７では、ＣＰＵ１１９ａは、ＭＦ操作（マニュアルフォーカス操作）が行われたか否かを判定する。ＭＦ操作は、フォーカスリング１３４を回転させる操作の他に、十字キー１２５に含まれる上下キーの操作でも行えるものとする。フォーカスリング１３４は電気的にＣＰＵ１１９ａと接続していないため、フォーカスリング１３５に対して行われた操作は、ＣＰＵ１１９ａは検知できない（操作されたか否か判定できない）ものとする。一方、十字キー１２５に含まれる上下キーの操作で行われたＭＦ操作はＣＰＵ１１９ａが検知出来るものとする。すなわち、ステップＳ３０７の判定は、十字キー１２５に含まれる上下キーの操作があったか否かの判定である。上下キーの操作があった場合はステップＳ３０８に進み、そうでない場合はステップＳ３０９に進む。
ステップＳ３０８では、ＣＰＵ１１９ａは、フォーカス制御部１１３を制御し、交換レンズ１０１内のフォーカスレンズを、ユーザーの操作に応じたフォーカス位置となるように駆動する。
なお、フォーカスレンズの駆動はユーザーがフォーカスリング１３４を操作することで
手動でも行えるため、ステップＳ３０７、ステップＳ３０８の処理は無くても良い。
【００３３】
ステップＳ３０９では、ＣＰＵ１１９ａは、電源オフや再生モードへの移行など、本処理を終了させる終了イベントがあったか否かを判定し、終了イベントがあった場合は本処理を終了し、そうでない場合はステップＳ３０１に戻って処理を繰り返す。
処理を繰り返す場合において、ステップＳ３０３以降でフォーカスリング１３４が操作されるなど、ＭＦ操作が行われていた場合には撮像される画像の合焦度合いが変化するため、ステップＳ３０２で取得される合焦情報が変化する。このため、ＣＰＵ１１９ａは、ステップＳ３０３でフォーカスガイドの表示形態を、取得された最新の合焦情報に基づいて更新する。
なお、ＣＰＵ１１９ａによるステップＳ３０２の処理は、本発明の取得手段の処理に相当し、ステップＳ３０３の処理は、本発明の表示制御手段の処理に相当し、ステップＳ３０６の処理は、本発明の制御手段の処理に相当する。
【００３４】
図４Ａ、図４Ｂ及び図４Ｃは、フォーカスガイドの表示例である。図４Ａは焦点検出領域にある被写体に対して前ピンで合焦していない時に表示されるフォーカスガイドの表示例であり、図４Ｂは被写体に対して後ピンで合焦していない時に表示されるフォーカスガイドの表示例である。また、図４Ｃは焦点検出領域にある被写体に対して合焦している時に表示される図形である。
図４Ａの円弧状の図形４０１（第３の指標）及び円弧状の図形４０２（第２の指標）は、デフォーカス量と被写界深度を表す図形であり、三角形の図形４０３（第１の指標）は、ユーザーが合焦させるための目標となる図形である。
図４Ａに示すように、円弧状の図形４０１の辺Ａを通る直線ｍと三角形の図形４０３の頂点Ｂを通り底辺Ｃに垂直な直線ｎとの角度を指標角度という。この指標角度は、合焦させるためのフォーカスリング１３４の操作量を表している。また、円弧状の図形４０２の辺Ｄを通る直線ｏと直線ｎとの角度も指標角度である。図形４０１及び図形４０２は、デフォーカス量に応じて所定の円の外周上を、円弧を描く軌跡で移動する。例えば、デフォーカス量が小さくなった場合、図形４０１及び図形４０２は、円弧を描く軌跡で指標角度を小さくする方向に移動する。一方、デフォーカス量が大きくなった場合、図形４０１及び図形４０２は、円弧を描く軌跡で指標角度を大きくする方向に移動する。以下では、図形４０１及び図形４０２の移動する方向を移動方向という。
また、図４Ａに示すように、直線ｎと、円弧状の図形４０１の辺Ａとの距離（第１の指標と第２の指標との距離）も、フォーカスリング１３４の操作量を表している。また、直線ｎと、図形４０２の辺Ｂとの距離も同様である。以下では、上述の三角形の図形４０３の頂点Ｂを通り底辺Ｃに垂直な直線ｎと円弧状の図形４０１（又は図形４０２）の図形４０３側の辺Ａとの距離を指標距離という。
【００３５】
また、図４Ａ及び図４Ｂにおいて図形４０１及び図形４０２と、図形４０３との位置関係、及び図形４０３の向きが前ピンか後ピンかを示している。例えば、図４Ａのように、前ピンの場合は三角形の図形４０３が、図形４０１及び図形４０２よりも下部に、頂点が上向きとなるように表示される。また、図４Ｂのように、後ピンの場合は三角形の図形４０３が図形４０１及び図形４０２よりも上部に、図４Ａとは逆の向き（逆三角形）で表示される。
【００３６】
また、図形４０１及び図形４０２の移動方向（距離方向）の表示幅が被写界深度を表しており、ステップＳ３０５で設定された絞り値（Ｆ値、Ａｖ値）に応じた表示幅となる。すなわち、被写界深度に応じて図形４０１及び図形４０２の表示幅が、指標距離が変更される方向と同じ方向に伸長される。
具体例を挙げて説明する。上述では、図形４０１及び図形４０２は、デフォーカス量に応じて所定の円の外周上を、円弧を描く軌跡で移動することを説明した。被写界深度が変
更された場合おいても、被写界深度に応じて図形４０１及び図形４０２の表示幅が、図形４０１及び図形４０２が移動する円弧の軌跡と同じ軌跡で伸長される。ＣＰＵ１１９ａは、絞りが開放側に調整され、絞り値が小さいほど被写界深度は浅くなるため図形４０１及び図形４０２の図形の表示幅を小さくして表示する。また、ＣＰＵ１１９ａは、絞りが絞られた側に調整され、絞り値が大きいほど被写界深度は広くなるため図形４０１及び図形４０２の図形の表示幅を大きくして表示する。
【００３７】
このように、図形４０１及び図形４０２は、合焦度合いに応じて表示位置が変更される。合焦度合いが低いほど図形４０３との移動方向の距離（指標距離）が離れて表示され、合焦している場合は図形４０１及び図形４０２が重なって表示される。一方、図形４０３は、合焦度合いが変わっても表示位置は変更されない。
また、ＣＰＵ１１９ａは、本体マイコン１１９でデフォーカス量が一定値以下になり合焦していると判断した時には、図形４０１と図形４０２とを重ねて円弧状の図形として表示させる。さらに、ＣＰＵ１１９ａは、合焦していると判断した場合には、図形４０１と図形４０２とを重ねあわせた円弧状の図形と、図形４０３の頂点とを上下に重ねて表示させる。あるいは、ＣＰＵ１１９ａは、合焦している場合には図形４０１（又は図形４０２）と図形４０３とを一体化したアイテムとして表示させてもよい。また、ＣＰＵ１１９ａは、合焦している場合、図形４０３と、図形４０１と図形４０２が重なっている領域４０４との色を変えることで、ユーザーに合焦していることを通知する。
なお、本体マイコン１１９が被写体に対して完全にピントが合っている、すなわちデフォーカス量が０と判断した際には、ＣＰＵ１１９ａは、図形４０１と図形４０２とを完全に重ね合わせ、一つになっているように表示させる。
また、被写体に対するデフォーカス量が所定値以上で合焦度合いが低い場合には、ＣＰＵ１１９ａは、被写体の付近にフォーカスガイドを表示しないようにしてもよい。
【００３８】
図５Ａ〜図５Ｅは、絞り値の変化に対するフォーカスガイドの図形の形状の変化を表す図である。
例えば、図５Ａの場合、ＣＰＵ１１９ａは、比較的絞り値が小さく、被写界深度が浅いため、図形４０１，４０２の幅を小さくして表示させる。一方、図５Ｅの場合、ＣＰＵ１１９ａは、比較的絞り値が大きく、被写界深度が広いため、図形４０１，４０２の幅を大きくして表示させる。このように、被写界深度に応じて図形４０１，４０２の幅を変更することで、合焦範囲を直観的にわかりやすく表示することができる。
【００３９】
また、ピントが被写体の合焦範囲から少し外れている場合に、ＭＦ操作により絞り値が大きくなるように変更されると、デフォーカス量が小さくなり、合焦した状態となる。この場合、本体マイコン１１９により合焦していると判断され、図形４０１と図形４０２とが重なって表示されるようになる。一方で、被写体に対する合焦範囲から大きく外れている時には絞り値が大きく変更されても、被写体に対して合焦せず、図形４０１と図形４０２が重ならずに表示される。
【００４０】
図６Ａ〜図６Ｅは、フォーカスガイド機能の表示例を示した図である。図６Ａ〜図６Ｅにおいて、表示されたライブビュー画像の中心に位置する被写体（家族）を基準とした時に、左にある被写体（花）は手前に、右にある被写体（犬）は奥に配置されている。
図６Ａは、フォーカスガイド機能の表示設定が無効になっている時の表示形態の例である。この時、画面上にはフォーカスガイド機能に関連する情報は表示されず、ライブビュー画像のみが表示される。
図６Ｂは、フォーカスガイド機能の表示設定が有効になっており、なおかつ絞り値が小さい時の表示形態の例である。図６Ｂにおいて、被写体（家族）、被写体（花）、被写体（犬）がそれぞれ焦点検出領域となる。ここで、焦点検出領域とは、焦点の検出対象となる被写体の領域である。この焦点検出領域にはフォーカス枠が表示される。図６Ｂでは、
これら３つの焦点検出領域にある被写体のうち、中心の被写体（家族）にのみ合焦している状態となる。
ＣＰＵ１１９ａは、絞り値が比較的小さい状態のため、３つのフォーカスガイドの図形（図形４０１，４０２）の幅を小さく表示させる。また、ＣＰＵ１１９ａは、指標角度（図４Ａの直線ｍ及び直線ｎの角度、又は直線ｏ及び直線ｎの角度）を各焦点検出領域のデフォーカス量（合焦度合い情報）に応じて設定し、被写体（家族）のフォーカスガイドの図形のみ指標角度を０度とする。
【００４１】
図６Ｃは、図６Ｂの状態から、ユーザーがフォーカスリング１３４を操作し、手前の被写体（花）に合焦するようにした時の表示形態の例である。この時、左の被写体（花）に対して合焦するようになった一方、中心の被写体（家族）は合焦から外れるように変化している。また、右の被写体（犬）については、デフォーカス量が一定値以上になったことで、被写体の位置にフォーカス枠が表示しないよう変化している。
ＣＰＵ１１９ａは、被写体（花）のフォーカスガイドの図形のみ指標角度を０度とする。さらに、ＣＰＵ１１９ａは、被写体（花）に合焦させた場合の被写体（家族）のデフォーカス量に応じて被写体（家族）のフォーカスガイドの図形の指標角度を変更する。また、ＣＰＵ１１９ａは、図形４０３を図形４０１、図形４０２の下側に表示し、かつ三角形の図形４０３の頂点を上向きとする。これにより、被写体（家族）が後ピンであることが示される。
【００４２】
図６Ｄは、フォーカスガイド機能の表示設定が有効になっており、なおかつ絞り値が大きい時の表示形態の例である。図６Ｄにおいて、表示されている３つの焦点検出領域にある被写体のうち、左及び中心の被写体（花、家族）が合焦している状態となる。
ＣＰＵ１１９ａは、絞り値が比較的大きい状態のため、３つの被写体のフォーカスガイドの図形（図形４０１，４０２）の幅をそれぞれ大きく表示させる。また、ＣＰＵ１１９ａは、被写体（家族）の図形４０１，４０２を完全に重ねて表示させ、被写体（花）の図形４０１，４０２を一部重ねて表示させる。さらに、ＣＰＵ１１９ａは、図形４０１及び図形４０２の重なっている部分の色を変えて表示させる。このように、被写体（家族）の図形４０１，４０２が完全に重なって表示されていることから、被写体（家族）がちょうど焦点距離（ピント面）に位置することが分かる。
【００４３】
なお、図３のＳ３０５では、絞り値の変更操作に応じてすぐに絞りを実際に変更する例を説明したが、絞りを実際に反映させる反映指示のタイミングは、シャッターボタン（不図示）の半押しや、絞り込みボタン（不図示）の操作のタイミングでもよい。絞りを実際に変更して絞り量を増やすとライブビュー画像が暗くなる。実際の静止画撮影（本撮影）では、絞りを絞っても露光時間を長くすれば撮影画像を明るくできるため、適正な露出で撮影を行って適正な明るさの撮影画像を得ることができる。
しかしライブビューのための撮影は露光時間をライブビューの更新頻度より長い時間にはできないため、露出が足りずにユーザーが想定している本撮影で得られる撮影画像よりもライブビュー画像が暗くなってしまうことがある。このようにライブビュー画像の明るさが本撮影で得られる画像と異なってしまうと、ユーザーはライブビュー画像を見ながら明るさを調整する目的での絞り値やシャッター速度の変更操作をすることができない。
【００４４】
従って、絞り値の変更操作を受け付けたタイミング（ステップＳ３０５）では絞り値の設定値が不図示のメモリに記憶される。さらにＣＰＵ１１９ａは、ライブビュー画像に表示されるフォーカスガイドの図形４０１、図形４０２の幅を変更後の絞り値に応じて変化させる。このとき、ＣＰＵ１１９ａは、実際に絞りを設定された値通りには絞り制御部１１２を駆動させないようにしてもよい。これにより、撮影時にライブビュー画像が暗くなるのを防止することができる。
また、ＣＰＵ１１９ａは、ライブビュー画像が、設定された絞り値で本撮影を行った場
合の明るさを示すように、絞り及びＩＳＯ感度を調整してもよい（露出シミュレーション）。これにより、実際の撮影画像に近いライブビュー画像を表示することができる。そして、ＣＰＵ１１９ａは、シャッターボタン（不図示）の半押しや、絞り込みボタン（不図示）の操作がされた場合に、絞り制御部１１２を駆動させ、設定された絞り値通りに絞りを変更する指示（反映指示）をしても良い。すなわち、調整手段の処理としてＣＰＵ１１９ａは上述した絞りの調整を行う。
そして、シャッターボタン（不図示）の半押しや、絞り込みボタン（不図示）の操作があると、ＣＰＵ１１９ａは、フォーカスガイドを図６Ｄのような表示状態から、図６Ｅのような表示状態に変更する。
【００４５】
図６Ｅは、静止画撮影時に、図６Ｄの状態からシャッターボタンを半押しした場合の表示形態の例である。シャッターボタンを半押しした際に、絞りが実際に設定値通りに絞られ、各種設定値が固定される。これに合わせてＣＰＵ１１９ａは、フォーカスガイドを示す図形４０１，４０２の形状を実際の絞りの状況に合わせた幅に変更してもよい。これにより、例えば絞り値が小さく、被写界深度が浅い場合に、背景等の被写体以外の部分のピントのボケ具合を撮影前に確認することができる。そして、シャッターボタンが全押しされると本撮影が行われる。なお、シャッターボタンが半押しされた場合に、ＣＰＵ１１９ａは、図６Ｅのようにフォーカスガイドの図形４０１，４０２の幅を最も小さい時のサイズ（最小幅）に固定し、合焦しているならば図形をフォーカス枠の中心位置に移動させて表示させてもよい。なお、この場合、小さくなった図形４０１及び図形４０２が重ねあわせて表示され、図形４０１及び図形４０２が重なった図形と図形４０３とが上下に重なる位置に表示される。これにより、合焦しているかどうかについて、ユーザーに対する視認性を向上させることができる。
【００４６】
なお、上述の実施例においては、絞りの設定に応じてフォーカスガイドのうち図形４０１と図形４０２の幅を変更する例を説明したが、これに限定されない。例えば、図形４０１と図形４０２の表示幅は絞りに関わらず固定とし、図形４０３の幅を絞りに応じて被写界深度が深いほど長い幅に変更しても良い。いずれにしても、ＣＰＵ１１９ａは、図形４０１及び図形４０２、又は図形４０３の表示幅を絞り値に応じて変更する。これによって、図形４０１または図形４０２と、図形４０３との重なる幅が絞りに応じて可変となり、ピントが合う範囲が絞りに応じて変化することが直感的に理解できる表示となる。
【００４７】
また、測距部１０８は、焦点距離とデフォーカス量に基づき、焦点検出位置に存在する被写体と測距部１０８までの距離も取得可能である。同じ絞り量であれば、撮像面と被写体までの距離（被写体距離）が短い場合（例えばマクロ撮影など）は相対的に背景や前景がボケやすく、合焦する範囲が狭い。一方、被写体距離が長い場合（例えば風景撮影など）では、相対的に背景や前景がボケづらく、くっきりと写り、合焦する範囲が広い。この特徴を踏まえ、ＣＰＵ１１９ａは、絞り量に加えて、測距部１０８で得られた被写体距離に関する情報を取得し、それも加味してフォーカスガイドの図形４０１及び図形４０２、または図形４０３の表示幅を変更しても良い。
すなわち、ＣＰＵ１１９ａは、同じ絞り量であれば、被写体距離が短いほど表示幅を狭くし、被写体距離が長いほど表示幅を広くする。具体的には、ＣＰＵ１１９ａは、被写体距離が短い場合に比べて長い場合の方が図形４０１及び図形４０２、または図形４０３の表示幅が広くなるようにする。
【００４８】
なお、ＣＰＵ１１９ａが行うものとして説明した上述の各種制御は、１つのハードウェアが行ってもよいし、複数のハードウェアが処理を分担することで、装置全体の制御を行ってもよい。
また、本発明をその好適な実施形態に基づいて詳述してきたが、本発明はこれら特定の実施形態に限られるものではなく、この発明の要旨を逸脱しない範囲の様々な形態も本発
明に含まれる。さらに、上述した各実施例は本発明の一実施例を示すものにすぎず、各実施例を適宜組み合わせることも可能である。
【００４９】
また、上述した実施例においては、本発明をデジタルカメラに適用した場合を例にして説明したが、これはこの例に限定されず撮像手段を有する機器であれば適用可能である。すなわち、本発明は、パーソナルコンピュータやＰＤＡ、携帯電話端末や携帯型の画像ビューワ、ディスプレイを備えるプリンタ装置、デジタルフォトフレーム、音楽プレーヤーなどに適用可能である。さらに、本発明は、ゲーム機、電子ブックリーダー、タブレット端末、スマートフォン、投影装置、ディスプレイを備える家電装置や車載装置などにも適用可能である。また、デジタルカメラ等で撮影したライブビュー画像を有線または無線通信を介して受信して表示し、リモートでデジタルカメラ（ネットワークカメラを含む）を制御するスマートフォンやタブレットＰＣ、デスクトップＰＣなどの装置にも適用可能である。
【００５０】
（その他の実施例）
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５１】
１：デジタルカメラ１０、２：表示部１０７、３：絞り制御部１１２、４：フォーカス制御部１１３、５：画像処理部１１８、６：本体マイコン１１９、７：ＣＰＵ１１９ａ
【図１】
2018155904.tif 000003
【図２】
2018155904.tif 000004
【図３】
2018155904.tif 000005
【図４】
2018155904.tif 000006
【図５】
2018155904.tif 000007
【図６】
2018155904.tif 000008